(57)【特許請求の範囲】
【請求項１】
硬貨が投入される入金モード、釣銭を払い出す釣銭モードおよび前記投入された硬貨を収納する収納モードの動作モードで動作する硬貨処理装置であって；
前記投入された硬貨を繰り出すよう構成された繰出手段と；
前記繰り出された硬貨を識別し該硬貨が正硬貨か否かを判定する硬貨識別手段であって、複数の識別レベルを有する硬貨識別手段と；
装置の前記動作モードを確認する動作モード確認手段と；
前記確認された動作モードに対応する識別レベルに前記硬貨識別手段の識別レベルを切り替える識別レベル切替手段と；
前記動作モードと前記識別レベルとの対応を予め設定する識別レベル設定手段と；
前記硬貨識別手段によって識別された硬貨であって正硬貨と判定された硬貨を一時的に保留するよう構成された一時保留部と；
前記硬貨識別手段によって識別された硬貨であって正硬貨と判定されなかった硬貨を放出する硬貨放出部と；
前記硬貨識別手段によって識別された硬貨を前記一時保留部と前記硬貨放出部とに振り分ける硬貨振分部とを備え；
前記一時保留部は、全ての釣銭硬貨が払い出され、商品が送出され釣銭モードが終了し、前記動作モード確認手段により前記収納モードへ切り替わりったことが確認された場合、前記一時的に保留した硬貨を前記繰出手段に戻すように構成され；
前記繰出手段は、前記戻された硬貨を再び繰り出すように構成され；
前記硬貨識別手段は、前記再び繰り出された硬貨を再び識別するよう構成され；
さらに、釣銭用の硬貨を貯留する釣銭部であって、前記硬貨識別手段によって再び識別された硬貨であって正硬貨と判定された硬貨を収納する釣銭部と；
前記硬貨識別手段によって再び識別された硬貨であって正硬貨と判定されなかった硬貨を収納する釣銭リジェクト部とを備え；
前記硬貨振分部は、前記硬貨識別手段によって再び識別された硬貨を、前記釣銭部と前記釣銭リジェクト部とに振り分け；
前記識別レベル切り替え手段は、前記一時保留部から前記繰出手段に戻された硬貨を前記硬貨識別手段が再び識別する場合は、前記識別レベルを入金モード時の識別レベルより厳しいレベルに切り替えるよう構成された；
硬貨処理装置。
【請求項２】
前記硬貨処理装置は、前記釣銭リジェクト部に収納された硬貨を再識別する再識別モードの動作モードで動作し；
前記釣銭リジェクト部は、前記収納した硬貨を前記繰出手段に戻すよう構成され；
前記識別レベル切り替え手段は、前記釣銭リジェクト部から前記繰出手段に戻された硬貨を前記硬貨識別手段が再び識別する場合は、前記識別レベルを入金モード時の識別レベルより厳しいレベルに切り替えるよう構成された；
請求項１に記載の硬貨処理装置。
【請求項３】
前記硬貨処理装置は、前記一時保留部に保留された硬貨を釣銭として払い戻す釣銭モードの動作モードで動作し；
前記一時保留部に保留された硬貨を釣銭として流用できるか否か判断する制御部を備え；
前記一時保留部は、前記制御部が前記一時保留部に保留された硬貨を釣銭として流用できると判断した場合、前記一時的に保留した硬貨を前記繰出手段に戻すよう構成され；
前記識別レベル切り替え手段は、前記一時保留部から前記繰出手段に戻された硬貨を前記硬貨識別手段が再び識別する場合は、前記識別レベルを入金モード時の識別レベルより厳しくないレベルに切り替えるよう構成された；
請求項１または請求項２に記載の硬貨処理装置。
【請求項４】
前記硬貨処理装置は、前記釣銭部に貯留された硬貨を釣銭として払い戻す釣銭モードの動作モードで動作し；
前記釣銭部は、前記制御部が前記一時保留部に保留された硬貨を釣銭として流用できないと判断した場合、前記貯留した硬貨を前記繰出手段に戻すよう構成され；
前記識別レベル切り替え手段は、前記釣銭部から前記繰出手段に戻された硬貨を前記硬貨識別手段が再び識別する場合は、前記識別レベルを入金モード時の識別レベルより厳しいレベルに切り替えるよう構成された；
請求項３に記載の硬貨処理装置。
【請求項５】
請求項１乃至請求項４のいずれか１項に記載の硬貨処理装置と；
口座を選択する口座選択スイッチと；
前記口座選択スイッチにより選択された口座に基づいて商品を放出する商品放出装置とを備える；
自動販売機。
【発明の詳細な説明】
【０００１】
【発明の属する技術分野】
本発明は、硬貨を処理する硬貨処理装置、該硬貨処理装置を備えた自動販売機、特に入金された硬貨を識別する識別機能に加え、出金、回収等を行う硬貨を識別する識別機能を有する硬貨処理装置、該硬貨処理装置を備えた自動販売機に関するものである。
【０００２】
【従来の技術】
従来の自動販売機に備えられる硬貨処理装置は、投入された硬貨の金種、真偽等を識別する硬貨識別装置を備えている。偽硬貨（日本国で流通していない硬貨）、変造硬貨（日本国で流通している硬貨に似せて変造した硬貨）、変形硬貨（日本国で流通している硬貨で変形、一部毀損した硬貨）（前三者に該当しない硬貨を以下正硬貨とする）が投入された場合は、硬貨識別装置がこれらの硬貨を識別して、正硬貨か否か判定し、正硬貨ではないと判定した場合は、釣銭口に返却していた。
【０００３】
正硬貨が購入する商品の額以上投入され、商品に対応する口座選択スイッチが押されると、商品が放出され釣銭が必要な場合は釣銭口に払い出されていた。また、購入商品の額を大きく超えるように硬貨が大量に投入されても正硬貨と判定された場合は、投入硬貨は一時保留部に収納され、すでに釣銭部に収納されていた硬貨を釣銭として払い出していた。
【０００４】
現在硬貨を扱う環境は、偽硬貨や巧妙な変造硬貨が増え、非常に厳しくなっており、特に５００円硬貨に似せて変造された外国硬貨の使用による被害が多くなっている。その対策として、硬貨処理装置への硬貨の投入時に正硬貨か否か判定する硬貨識別装置の判定基準を厳しくすることで対応していた。
【０００５】
【発明が解決しようとする課題】
以上のような従来の硬貨処理装置によれば、５００円硬貨の外径のばらつき等の原因で、硬貨識別装置の判定基準を厳しくすると正硬貨を正硬貨として判定して受け付ける受付率が多少下がらざるを得ないのが現状であり、硬貨識別装置のみでの対応では十分とは言えなかった。
【０００６】
また、ある程度の受付率を確保できるように判定基準を設定するので、正硬貨でないにもかかわらず正硬貨と判定されて釣銭部に収納される硬貨があることは避けられず、商品を購入した顧客に釣銭部から釣銭として放出される場合や、釣銭部から回収されて金融機関に送られ、金融機関で発見されることがあった。
【０００７】
また、購入商品の額を大きく超えるように変造硬貨が大量に投入されても正硬貨と判定された場合は、変造貨幣は一時保留部に収納され、すでに釣銭部に収納されていた正硬貨を釣銭として払い出していた。
【０００８】
そこで本発明は、投入された硬貨が正硬貨か否かを適正に識別することができ、識別効率の良い硬貨処理装置、該硬貨処理装置を備えた自動販売機を提供することを目的としている。
【０００９】
【課題を解決するための手段】
上記目的を達成するために、第１の態様に係る発明による硬貨処理装置２１は、例えば図２に示すように、投入された硬貨を識別する、複数の識別レベルを有する硬貨識別手段４５と；装置の動作モードを確認する動作モード確認手段４１と；前記確認された動作モードに対応する識別レベルに硬貨識別手段４５の識別レベルを切り替える識別レベル切替手段４６とを備える。
【００１０】
このように構成すると、確認された動作モードに対応する識別レベルに硬貨識別手段の識別レベルを切り替える識別レベル切替手段を備えるので、動作モード確認手段により確認された動作モードに対応する識別レベルへ切り替え、動作モードごとに適切な識別レベルで投入された硬貨を識別できる。ある動作モードでは厳しい識別レベルで硬貨を識別し、他の動作モードでは緩やかな識別レベルで硬貨を識別することができ、識別効率を良くすることができる。
【００１１】
識別効率が良いとは、例えば投入された正硬貨を正硬貨として受け付ける受付率を維持し、硬貨処理装置内に収納されている偽造硬貨等を顧客に放出したり、回収して金融機関に送ることを可能な限り少なくすることができることをいう。
【００１２】
動作モードには、顧客が投入した硬貨を受け入れる入金モード、顧客に釣銭を払い出す釣銭モード、顧客が投入した硬貨を収納する収納モード、顧客の投入金のうち釣銭として払い出されずに蓄積された硬貨を回収する回収モード、正硬貨と判定されず硬貨処理装置内に別途収納された硬貨の真偽を再度識別する再識別モード、蓄積された硬貨では釣銭が不足し釣銭が払い出せない可能性がある場合に、硬貨を外部から補充する補充モード等がある。識別レベルが厳しいとは、例えば硬貨の真偽を判断する際の基準とする正硬貨の基準データからの、識別によって得られた識別される硬貨のデータの許容誤差のレベルが厳しいこと、識別するために測定する測定項目が多いこと、測定のために選択される測定個所が多いこと、測定面積が広いこと等をいう。
【００１３】
例えば、入金モードにおいて標準の識別レベルとし、収納モード、釣銭モード、回収モードにおいて標準より厳しい識別レベルとすれば、標準の識別レベルでは変造硬貨として識別されない変造硬貨を識別して選別し、客先に変造硬貨を釣銭として放出し、変造硬貨を回収し金融機関に送る可能性をより少なくすることができる。
【００１４】
第２の態様に係る発明による硬貨処理装置は、第１の態様の硬貨処理装置において、例えば図２に示すように、前記動作モードと前記識別レベルとの対応を予め設定する識別レベル値設定手段４８を備える。
【００１５】
動作モードと識別レベルとの対応を予め設定する設定手段を備えるので、硬貨処理装置が作動する環境に応じて、動作モードに対応する識別レベルを変えて予め設定することができる。なお、予めとは、硬貨処理装置を所定の動作モードで作動させる前に、の意味である。
【００１６】
第３の態様に係る発明による硬貨処理装置は、例えば図３に示すように、投入された硬貨を繰り出す繰出手段５１と；前記繰り出された硬貨を識別する硬貨識別手段４５と；前記識別された硬貨を釣銭用の硬貨として貯留する釣銭部５５と；前記識別された硬貨を一時的に保留し、繰出手段５１に戻すよう構成された一時保留部５３と；前記識別された硬貨が釣銭として放出される硬貨放出部５９と；前記識別された硬貨を、釣銭部５５と一時保留部５３と硬貨放出部５９とに振り分ける硬貨振分部５４とを備え；繰出手段５１が前記戻された硬貨を繰り出すように構成されている。
【００１７】
投入され識別された硬貨を一時的に保留し、繰出手段に戻すよう構成された一時保留部と、識別された硬貨を、釣銭部と一時保留部と硬貨放出部とに振り分ける硬貨振分部とを備えるので、投入された硬貨を釣銭として流用できる場合は、硬貨を一時保留部から繰出手段に戻しさらに一枚ずつ硬貨識別手段によって識別し、釣銭として流用できる金種の硬貨を、繰出手段によって硬貨放出部に振り分けることができる。よって、硬貨の処理において、商品購入のために必要な硬貨に加えてさらに硬貨が入金された場合は、そのさらに入金された硬貨を釣銭部に収納することなく一時保留部からそのまま釣銭として返却することができる。したがって、必要以上に硬貨を入金することによって、釣銭部に収納されている硬貨と換金することは難しくなる。また、釣銭部の硬貨を不必要に釣銭として放出しない分、釣銭部の硬貨を釣銭として有効利用できる。
【００１８】
硬貨処理装置は、典型的には以下のように作用する。投入された硬貨は繰出手段によって硬貨識別手段に繰り出され、硬貨識別手段によって識別される。識別された硬貨は硬貨振分部によって、正硬貨でないと判定された硬貨が硬貨放出部に振り分けられ、正硬貨と判定された硬貨が一時保留部に振り分けられる。硬貨識別手段によって識別されることによりどの金種の硬貨が何枚投入されたかが分かり投入金額の合計が分かる。
【００１９】
商品が購入され、釣銭の支払いが必要ないときは、一時保留部の硬貨は、繰出手段、硬貨識別手段、硬貨振分部を経て釣銭部に搬送される。このとき正硬貨でないと判定された硬貨を別途振り分けることが望ましい。購入額を超える額の硬貨が入金され釣銭の支払いが必要なときは、硬貨は一時保留部から、繰出手段、硬貨識別手段を経て、硬貨振分部によって一部が釣銭として硬貨放出部に、残りが釣銭部に搬送される。ここで釣銭不足の場合は、釣銭部から繰出手段に、必要な金種の硬貨が必要枚数だけ放出され、繰出手段から、硬貨識別手段、硬貨振分部を経て、硬貨放出部に搬送される。このとき正硬貨でないと判定された硬貨を別途振り分けることが望ましい。
【００２０】
第４の態様に係る発明による硬貨処理装置は、第１の態様または第２の態様の硬貨処理装置において、図３に示すように、投入された硬貨を繰り出す繰出手段５１と；前記繰り出された硬貨を識別する硬貨識別手段４５と；前記識別された硬貨を釣銭用の硬貨として貯留する釣銭部５５と；前記識別された硬貨を一時的に保留し、前記繰出手段に戻すよう構成された一時保留部５３と；前記識別された硬貨が釣銭として放出される硬貨放出部５９と；前記識別された硬貨を、釣銭部５５と一時保留部５３と硬貨放出部５９とに振り分ける硬貨振分部５４とを備え；繰出手段５１が前記戻された硬貨を繰り出すように構成されている。
【００２１】
動作モードに対応する硬貨識別レベルの変更が可能となり、さらに必要以上の硬貨が入金された場合に入金された硬貨を釣銭として返却することが可能となる。よって、例えば、必要以上に入金された硬貨を釣銭として返却する場合には、金種のみ識別できるように識別レベルを下げ、識別装置が釣銭として返却する貨幣を拒絶することがないようにすることができる。
【００２２】
第５の態様に係る発明による自動販売機は、例えば図１に示すように、第１の態様乃至第４の態様のいずれか１の態様の硬貨処理装置１と；口座を選択する口座選択スイッチ１３と；口座選択スイッチ１３により選択された口座に基づいて商品を放出する商品放出装置１５とを備える。
【００２３】
口座の選択により物品を購入する不特定多数の利用が可能な自動販売機に、請求項１乃至請求項４のいずれか１項に記載の硬貨処理装置を備えることで、監視する人がいないことを理由に変造硬貨の投入を行う等の不正行為に対して効果を発揮することができる。
【００２４】
【発明の実施の形態】
以下、本発明の実施の形態について、図面を参照して説明する。なお、各図において互いに同一あるいは相当する部材には同一符号を付し、重複した説明は省略する。
【００２５】
図１は、本発明の実施の形態に係る自動販売機としての自動券売機１の概略構成を示すブロック図である。自動券売機１は、接客部２と、貨幣処理装置３と、商品放出装置としての発券部４と、係員操作部５と、主制御部６とを含んで構成される。
【００２６】
接客部２は、顧客からの貨幣を受け入れる投入口１１と、顧客へ釣銭を放出する釣銭口１２と、顧客が購入する券（例えば、乗車券、観覧券、入場券等）に対応する口座を選択する口座選択手段としての口座選択スイッチ１３、貨幣の投入後に券の購入を止め貨幣の返却を指示する返却スイッチ１４、発券部４によって発行された券を顧客へ送出する券送出口１５、及び顧客に対する購入案内を表示する案内表示部１６を備える。投入口１１は顧客による投入貨幣のうち、硬貨を受け入れる硬貨投入口１７と、紙幣が挿入される紙幣挿入口１８とからなる。釣銭口１２は、釣銭としての硬貨が放出される硬貨放出口１９と、釣銭としての紙幣が放出される紙幣放出口２０からなる。
【００２７】
貨幣処理装置３は、硬貨を処理する硬貨処理装置２１と、紙幣を処理する紙幣処理装置２２とからなる。硬貨投入口１７に投入された硬貨は、硬貨処理装置２１に送られ、硬貨処理装置２１から釣銭として送り出された硬貨は、硬貨放出口１９に放出される。紙幣挿入口１８に送入された紙幣は、紙幣処理装置２２に送られ、紙幣処理装置２２から釣銭として送り出された紙幣は、紙幣放出口２０に放出される。
【００２８】
自動券売機１の硬貨投入口１７の近傍には投入された硬貨を検出するセンサ３０が、紙幣挿入口１８の近傍には挿入された紙幣を検出するセンサ３１が設置されている。
【００２９】
発券部４は、顧客が口座選択スイッチ１３を押すことにより選択された口座に対応する券（不図示）を作成し、この券は券送出口１５に送出され顧客の手に渡る。
【００３０】
係員操作部５は、操作部２３と表示部２４とに分けられる。操作部２３は、後述の識別レベル値設定手段４８（図２参照）を操作するための、識別レベル設定手段操作スイッチ２５と、券の発売／発売中止を操作する発売／発売中止スイッチ２６とを備える。操作部２３は、さらに硬貨の回収を指示する回収スイッチ２７と、最初の識別で正硬貨と判定されなかった硬貨を再度識別することを指示する再識別スイッチ２８と、後述の金庫部５６（図３参照）に補充される硬貨を識別する補充識別を指示する補充識別スイッチ２９とを備える。
【００３１】
係員操作部５の表示部２４は、顧客の購入情報の表示（不図示）、係員の操作を案内するための表示（不図示）、投入金額の合計を表す表示（不図示）を適宜対応して行う。
【００３２】
主制御部６は、各部からの信号処理、各部への信号送信処理を行うマイクロセッサ（不図示）、マイクロプロセッサの処理に必要なプログラムを格納するＲＡＭ、ＲＯＭ（共に不図示）等を備える。
【００３３】
次に、図２を参照して硬貨処理装置の制御関係の主要な構成を説明する。硬貨処理装置２１は、制御部４９と、硬貨識別手段としての硬貨識別装置４５とを備える。制御部４９は、動作モード確認手段４１と、識別レベル確認手段４２と、比較手段４３と、金種決定手段４４とを有する。硬貨識別装置４５は、識別レベル切替手段４６と、識別手段４７と、識別レベル値設定手段４８とを有する。識別レベル切替手段４６、識別レベル値設定手段４８は制御部４９に設置してもよい。
【００３４】
制御部４９の動作モード確認手段４１は、硬貨投入口１７（図１参照）の近傍に設置されたセンサ３０（図１参照）、紙幣挿入口１８（図１参照）の近傍に設置されたセンサ３１（図１参照）により貨幣（硬貨、紙幣）の投入を検知した投入検知信号１０１、係員操作部５（図１参照）の操作部２３（図１参照）に取り付けられたスイッチ２６〜２９（図１参照）からのそれぞれのスイッチ操作信号１０２〜１０５、比較手段４３からの釣銭信号１０６（釣銭があることを示す信号）、金種決定手段４４からの流用信号１０７（投入硬貨を収納することなく釣銭として流用することを示す信号）を監視することで、装置のモードを監視して動作モードを確認し、動作モード信号１０８（例えば、入金モードであることを示す信号）を識別レベル確認手段４２に出力する。識別レベル確認手段４２は、動作モード確認手段４１から送られた動作モード信号１０８に対応する識別レベルを確認し、識別レベル切替手段４６に識別レベル信号１０９（例えば、第１識別レベルであることを示す信号）を出力する。
【００３５】
硬貨識別装置４５の識別レベル切替手段４６は、識別レベル確認手段４２からの識別レベル信号１０９に対応する識別レベルに切り替えるための識別レベル切替信号１１０を出力し、識別手段４７に送る。識別手段４７は、識別レベル切替信号１１０に従い識別レベルを切り替え所定の識別レベル許容範囲で、硬貨識別装置４５に投入された硬貨を識別し、金種についての金種データ信号１１１（例えば、金種が１００円であることを示す信号）を比較手段４３及び金種決定手段４４に出力し、真偽であるか否かについての真偽データ信号（図２に不図示）を制御部４９に出力する。
【００３６】
識別レベルは、本実施の形態では硬貨毎に定められた基準データに対し、正硬貨と判定するために定められた測定データの上限下限の許容範囲幅をいい、本実施の形態では第１識別レベルから第５識別レベルにそれぞれ対応させて、上限下限の許容範囲幅を有する。識別レベル値設定手段４８は、例えば係員操作部５（図１参照）から係員が識別レベル設定手段操作スイッチ２５（図１参照）を操作することにより発せられる識別レベル値切替信号１１４を受け、識別レベル値信号１１５を識別手段４７に送り、識別手段４７の各動作モードに対応する識別レベル値（本実施の形態では、識別に当たって測定する各項目毎の上限値、下限値）を設定することができる。
【００３７】
制御部４９の比較手段４３は、識別手段４７からの金種データ信号１１１を基に投入金額の合計を計算し、口座選択スイッチ１３（図１参照）からの口座選択信号１１３を基に購入金額を求め、釣銭モードか否か（すなわち釣銭があるか否か）を求め、さらに釣銭額を求める。そして、釣銭信号１０６を動作モード確認手段４１に出力し、釣銭額信号１１２を金種決定手段４４に出力する。
【００３８】
制御部４９の金種決定手段４４は、比較手段４３からの釣銭額信号１１２と、識別手段４７からの投入硬貨毎の金種データ信号１１１とを基に釣銭の金種とその金種毎の枚数を求め、投入硬貨から釣銭として流用できる流用金種とその金種毎の枚数、後述の釣銭部５５（図３参照）から払い出す釣銭の金種とその金種毎の枚数を求め（釣銭金種枚数信号（不図示））、これを制御部４９に出力する。金種決定手段４４は、投入硬貨を釣銭として流用するときは、流用信号１０７を動作モード確認手段４１に送る。
【００３９】
図３を参照して、硬貨処理装置２１の構成をさらに説明する。
硬貨処理装置２１は、硬貨識別装置４５に加えて以下のものを備える。すなわち、硬貨処理装置２１は、繰出手段としての繰出部５１と、搬送部５２と、一時保留部５３と、硬貨振分部としての通路切替部５４と、釣銭部５５と、金庫部５６と、釣銭リジェクト部５７とを備える。
【００４０】
さらに硬貨処理装置２１は、自動券売機１の硬貨投入口１７（図１参照）から投入された硬貨を硬貨処理装置２１内に導く硬貨投入部５８を備える。また硬貨処理装置２１から釣銭等の硬貨を自動券売機１の硬貨放出口１９（図１参照）へ放出する硬貨放出部５９を備える。
【００４１】
繰出部５１は、硬貨投入部５８を介して一括して投入された硬貨を、硬貨識別装置４５へ一枚ずつ繰り出すためのホッパーである。硬貨識別装置４５は、内部にコイルを備え、繰り出された硬貨の特徴を抽出して、硬貨の基準となる基準データと比較して、硬貨の金種及び真偽等について識別し、識別した硬貨を通路切替部５４に送り出し、金種データ信号を比較手段４３（図２参照）に、真偽データ信号（不図示）を制御部４９に送る。硬貨識別装置４５により識別中の硬貨の送り速さは一定とし、常にほぼ同じ値とするとよい。
【００４２】
通路切替部５４は搬送された硬貨を、制御部４９からの真偽データに基づいた、制御部４９からの指令信号（不図示）に従い、一時保留部５３と硬貨放出部５９とに振り分ける。一時保留部５３は、投入され繰出部５１から硬貨識別装置４５に繰り出され硬貨識別装置４５によって識別されて正硬貨と判定された硬貨が搬送され、一時的に保留される場所である。硬貨識別装置４５によって正硬貨と判定されなかった硬貨は通路切替部５４から硬貨放出部５９を経て硬貨放出口１９（図１参照）に送り出される。よって、偽硬貨、変造硬貨、変形硬貨である可能性の高い硬貨を排除し、顧客に返却することができる。
【００４３】
一時保留部５３は、一時保留した硬貨を券（不図示）の発行後に、繰出部５１に一括して放出し、繰出部５１はこれらの硬貨を硬貨識別装置４５へ再度一枚ずつ繰り出す。硬貨識別装置４５は、硬貨の金種及び真偽について再度識別し、識別した硬貨を通路切替部５４に送り出し、識別結果信号（金種、真偽）を制御部４９に送る。通路切替部５４は、搬送された硬貨を制御部４９の指令信号に従い、釣銭部５５と釣銭リジェクト部５７と金庫部５６とに振り分ける。
【００４４】
釣銭部５５は、硬貨識別装置４５の再度の識別によって正硬貨と判定された硬貨を金種毎に収納する。但し、投入された硬貨を釣銭として流用する必要がある場合は、流用される硬貨は通路切替部５４によって釣銭部５５には振り分けられず、硬貨放出部５９に振り分けられる。釣銭リジェクト部５７には、硬貨識別装置４５の再度の識別によって正硬貨と判定されなかった硬貨が振り分けられて収納される。釣銭リジェクト部５７は、搬送時や釣銭放出時に装置の都合で顧客へ出せない硬貨等も収納する。金庫部５６には、釣銭部５５の収納枚数が許容枚数以上になった場合、許容枚数以上の硬貨が振り分けられ金種毎に収納される。
【００４５】
釣銭の払い出しが必要な場合で、投入硬貨の流用がなされない場合は、釣銭部５５から繰出部５１に必要な金種の硬貨が必要な枚数だけ送り出され、硬貨識別装置４５、通路切替部５４を経て、硬貨放出部５９に放出される。このとき硬貨識別装置４５によって硬貨の真偽が判定され、正硬貨と判定されない場合は、その硬貨は釣銭としては放出されず釣銭リジェクト部５７に収納される。この収納された分の硬貨は、再度釣銭部５５から繰出部５１に送り出され、前述と同様な経路を経て硬貨放出部５９に放出される。
【００４６】
搬送部５２（図中、線で表示）は、ベルト、ローラ、板金等によるシュートよりなり、繰出部５１と硬貨識別装置４５とを結合し、硬貨識別装置４５と通路切替部５４とを結合し、通路切替部５４と、釣銭リジェクト部５７、釣銭部５５、一時保留部５３、硬貨放出部５９、及び金庫部５６を結合し、さらに繰出部５１と、硬貨投入部５８、一時保留部５３、釣銭部５５、及び釣銭リジェクト部５７を結合し、硬貨を搬送する。
【００４７】
次に、図１〜図３を参照して自動券売機１の各動作モードを説明する。自動券売機１は顧客による操作により動作する場合と、係員による操作により動作する場合がある。
まず、顧客による券購入に直接関わる券購入動作を説明する。券購入動作は、入金モードと、顧客操作モードと、釣銭モードと、収納モードとがある。
【００４８】
最初に入金モードについて説明する。顧客によって硬貨投入口１７に硬貨が投入される。投入された硬貨は硬貨投入部５８を経て、繰出部５１に搬送される。繰出部５１は、硬貨識別装置４５に硬貨を一枚ずつ搬送し、投入された異物等については図示しない別途機構により硬貨放出部５９から硬貨放出口１９に搬送し顧客に返却する。硬貨識別装置４５は、繰出部５１から搬送された硬貨の真偽、金種を第１識別レベルで判定する識別を行う。通路切替部５４により硬貨は識別ＮＧ（正硬貨ではないと判定）の場合は、硬貨放出部５９へ、識別ＯＫ（正硬貨と判定）の場合は一時保留部５３へとそれぞれ振り分けられる。そして、入金金額の合計が接客部２の案内表示部１６に表示される。
【００４９】
次に顧客操作モードについて説明する。顧客は投入金額の合計が購入する券の金額以上になったとき、接客部２の購入する券の口座に対応する口座選択スイッチ１３(押しボタン・タッチパネル等)を操作する。識別ＮＧ等により入金が券の料金金額に満たない場合にはその旨を案内表示部１６で表示し、再投入を促す。
【００５０】
顧客によって口座選択ではなく、返却スイッチ１４を押す投入硬貨の返却操作がなされた場合には、一時保留部５３に一時保留されていた硬貨を硬貨放出口１９へ返却する。比較手段４３には口座選択スイッチ１３の操作により券金額の信号が送られ、さらに比較手段４３は硬貨識別装置４５から送られた金種データから入金金額を計算しているので、入金金額と券金額の比較を行うことができる。入金金額と券金額が同じ場合は、発券部４によって、顧客が選択した口座に対応する券が発行されて券送出口１５へ送出され、後述する収納モードとなり、一時保留部５３の硬貨が釣銭部５５等に収納され動作を終了する。
【００５１】
釣銭モードについて説明する。
入金金額が券金額より多い場合は、釣銭処理が開始される。ここで、投入金を釣銭として流用できない場合には、釣銭部５５から繰出部５１に硬貨が放出される。また識別レベルが識別レベル切替手段４６により入金時の第１識別レベルと比較して厳しい第３識別レベルへ切り替えられる。これは顧客に放出される硬貨に変造硬貨が混入して迷惑をかけることを避けるためである。繰出部５１により繰り出された硬貨は、硬貨識別装置４５により識別が行われ、通路切替部５４により、識別ＮＧの場合には釣銭リジェクト部５７へ、識別ＯＫの場合は硬貨放出部５９に、それぞれ振り分けられる。釣銭リジェクト部５７へ収納された分の硬貨に対しては、釣銭部５５から同じ金種の代わりの硬貨が再度放出され識別がくり返され、顧客に払い出すべき全ての釣銭硬貨が硬貨放出部５９から放出されると、券が送出され動作を終了する。
【００５２】
次に、投入金を釣銭として流用できる場合は、一時保留部５３に保留されている硬貨が繰出部５１に放出される。また硬貨識別装置４５の識別レベルを入金時の第１識別レベルと比較して厳しくない第２識別レベルへ切り替えられる。繰出部５１により繰り出された硬貨は、硬貨識別装置４５により識別が行われ、金種が判定され、釣銭として流用できると判定された硬貨は硬貨放出部５９に送出され、流用できないと判定された硬貨は通路切替部５４により一時保留部５３に戻される。但し、この識別により識別ＮＧの硬貨は釣銭リジェクト部５７に収納される。識別ＮＧと判定されても金種が識別でき釣銭として流用できる投入硬貨は硬貨放出部５９から放出されるようにするとよい。
【００５３】
顧客の投入硬貨であって、釣銭として流用する硬貨に釣銭不足が発生した場合、投入金を釣銭として流用できない場合にて説明した処理と同様な処理が行われる。すなわち入金時の第１識別レベルと比較して厳しい第３識別レベルへ切り替えがなされ、釣銭がそれぞれ振り分けられる。顧客に払い出すべき全ての釣銭硬貨が送出されると、券が送出され動作を終了する。
【００５４】
収納モードについて説明する。
以上の各モードの説明により、券の送出が終了すると、さらに一時保留部５３の硬貨は繰出部５１に放出され、硬貨識別装置４５に繰り出される。このとき識別レベルは、第３識別レベル（釣銭部５５から釣銭放出があった場合は継続して第３識別レベル）で行われ、硬貨は、通路切替部５４により識別ＮＧの場合に釣銭リジェクト部５７へ、識別０Ｋの場合は釣銭部５５に、それぞれ振り分けられる。
【００５５】
次に、係員よる操作による動作について説明する。係員操作による動作には回収モード、再識別モード、補充モードがある。
最初に回収モードについて説明する。一日の売上げを確認するため締め切り時には釣銭部５５に収納された硬貨を持ち運び可能な金庫（不図示）に収納する。この金庫は金庫部５６に設置される。この場合の操作時に硬貨識別装置４５によって行われる識別を回収識別という。
【００５６】
まず、係員操作部５に設けられた回収スイッチ２７が係員によって操作される。この操作により、釣銭部５５に収納されている硬貨が繰出部５１に放出される。また識別レベル切替手段４６は、硬貨識別装置４５の識別レベルを、入金時と比較して厳しくする第４識別レベルの方向へ切り替える。硬貨識別装置４５によってより厳しく確実に硬貨の識別を行い、回収され金融機関に送られる硬貨に偽造硬貨等が混入して金融機関に迷惑をかけることを避けるためである。
【００５７】
硬貨識別装置４５による識別ＮＧの場合に硬貨は、通路切替部５４により識別ＮＧの場合に釣銭リジェクト部５７へ、識別ＯＫの場合に金庫部５６へそれぞれ振り分けられる。釣銭部５５に収納されていた硬貨が全て識別され、係員が金庫部５６に硬貨が収納されていること及び釣銭リジェクト部５７の硬貨の真偽を肉眼にて確認することで、回収が終了する。
【００５８】
次に、再識別モードについて説明する。
釣銭リジェクト部５７に収納される硬貨には今まで説明してきたごとく硬貨識別装置４５によって正硬貨と判定されなかった場合の他に、搬送部５２の切替機能における振り分け不良によるものがある。すなわち、繰出部５１から硬貨識別装置４５へ連なって繰り出されたため識別不良を起こした硬貨や、搬送部５２の適宜な場所に設置された不図示のセンサにより硬貨の通過時間等を監視することによって搬送不良が検出された硬貨は、通路切替部５４の最前部に設けた不図示の振分ゲートが操作され、あるいは硬貨の通路の幅が変更されることで、通路切替部５４の開口６０からリジェクト硬貨として落下する。落下した硬貨は、開口６０下部に設けられる搬送路５２により、釣銭リジェクト部５７に収納される。釣銭リジェクト部５７に収納されているこれらの硬貨を循環または回収するために行われる動作を再識別という。
【００５９】
係員操作部５に設けられた再識別スイッチ２８が係員によって操作される。この操作によって、釣銭リジェクト部５７に収納されている硬貨が繰出部５１に放出される。この時の硬貨識別装置４５の識別レベルは識別レベル切替手段４６によって少なくとも入金時の第１識別レベルと比較して厳しくする方向の第４識別レベルへ切り替えられる。再識別の信頼性を高めるためである。
【００６０】
硬貨識別装置４５による識別がＮＧの場合は、硬貨は通路切替部５４により再び釣銭リジェクト部５７へ振り分けられて収納され、識別ＯＫの場合は金庫部５６または釣銭部５５へそれぞれ振り分けられて収納される。釣銭リジェクト部５７に収納されていた硬貨が全て識別され、係員が釣銭リジェクト部５７に再度収納された硬貨の真偽を肉眼で確認し、釣銭リジェクト部５７から取り除くことで、再識別が終了する。
【００６１】
補充モードについて説明する。
釣銭等の不足に対して係員により硬貨補充が実施される。この場合に補充される硬貨の識別を補充識別という。まず係員操作部５に設けられた補充識別スイッチ２９が操作される。係員が硬貨投入口１７から、または別途設けられる不図示の補充口から硬貨を投入する。いずれの場合も投入された硬貨は最初に繰出部５１に放出され、次に硬貨識別装置４５に繰り出されて識別され、通路切替部５４から原則的に釣銭部５５に振り分けられ収納される。
【００６２】
この時の硬貨識別装置４５の識別レベルは第５識別レベルであり、釣銭放出時（釣銭として硬貨を放出し補充硬貨として使用）に入金時の第１識別レベルより厳しい識別レベルで識別を行っている場合は、入金時の第１識別レベルと同じでも構わない。釣銭放出時に厳しい識別レベルで識別が行われていないときは、入金時の第１識別レベルより厳しい識別レベルで識別を行うことが望ましい。補充時に、識別ＮＧの場合、硬貨は通路切替部５４により釣銭リジェクト部５７へ、識別ＯＫの場合は釣銭部５５へそれぞれ振り分けられる。係員が補充のため投入した硬貨が全て識別され、釣銭部５５へ硬貨が補充され、補充識別が終了する。
【００６３】
図４、図５、図６を参照して、さらに自動券売機１（図１参照）の作動を説明する。
まず、図４を参照し、適宜図１〜図３を参照して説明する。図４に示すように、自動券売機１が、各種処理待機モードにあるとき（ステップＳ１）から説明を始める。このとき係員が係員操作部５の発売／発売中止スイッチ２６を操作し、装置は発売中になっている（このステップ、図４に不図示）。
【００６４】
係員操作部５の操作がなされない場合（ステップＳ２がＮ（ＮＯ）の場合）で、硬貨の投入があった場合（ステップＳ３がＹ（ＹＥＳ）の場合）、センサ３０がこれを検出し、入金処理が行われる（ステップＳ４）。この入金処理では、投入検知信号１０１が制御部４９の動作モード確認手段４１に入力されることで、入金モードであることが確認される。ステップＳ２で係員操作部の操作があった場合（ステップＳ２がＹの場合）は、図中ルートＢに向かう。ルートＢについては図６で後述する。ステップＳ３で硬貨投入がなかった場合（ステップＳ３がＮの場合）はステップＳ１に戻る。
【００６５】
自動券売機１の入金処理（ステップＳ４）が行われると、自動券売機１が入金モードとなるため硬貨識別装置４５のモードは入金識別モード（ステップＳ５）となり、硬貨識別装置４５の識別レベル切替手段４６は第１識別レベルを選択して切り替える（ステップＳ６）。硬貨識別装置４５により硬貨を識別した結果、判定がＯＫの場合（ステップＳ７がＹの場合は）、硬貨は通路切替部５４を経て、一時保留部５３に収納される（ステップＳ８）。硬貨を識別した結果の判定がＮＧの場合（ステップＳ７がＮの場合）は、硬貨は通路切替部５４、硬貨放出部５９を経て、硬貨放出口１９に返却され（ステップＳ９）、ステップＳ１に戻る。硬貨が一時保留部５３に収納された（ステップＳ８）後、投入金額（合計金額）が、接客部２の案内表示部１６に表示される（ステップＳ１０）。
【００６６】
次に、顧客の券を購入する操作（口座選択スイッチ１３の操作）があった場合（ステップＳ１１がＹの場合）、制御部４９の比較手段４３による投入金額と券金額（口座金額）の比較が行われる（ステップＳ１２）。顧客の購入操作がない場合（ステップＳ１１がＮの場合）は、顧客の返却操作（返却スイッチ１４の操作）があったとき（ステップＳ１３がＹの場合）は、硬貨は硬貨放出部５９を経て硬貨放出口１９に返却され（ステップＳ１４）、ステップＳ１の前に戻る。顧客の返却操作（返却スイッチ１４の操作）がなかったとき（ステップＳ１３がＮの場合）も、顧客による再投入を待つためステップＳ１に戻る。
【００６７】
比較手段４３による投入金額と券金額（口座金額）の比較が行われ（ステップＳ１２）、釣銭がある場合は（ステップＳ１５がＹの場合）、ルートＣへ向かう。ルートＣについては図５で後述する。釣銭がない場合は（ステップＳ１５がＮの場合）、発券部４から券送出口１５への券送出が行われる（ステップＳ１６）。次に収納モードへの切り替えがなされ（このステップ図４に不図示）、一時保留部５３から繰出部５１に硬貨が放出され、硬貨識別装置４５、通路切替部５４を経て、釣銭部５５に収納される（ステップＳ１７）。そしてステップＳ１に戻る。
【００６８】
図５を参照し、適宜図１〜図３を参照し、図４のルートＣの先を説明する。
釣銭ありの場合は（ステップＳ１５がＹの場合は（図４参照））、自動券売機１の釣銭処理（ステップＳ２１）が行われる。この釣銭処理では、比較手段４３からの釣銭信号１０６が制御部４９の動作モード確認手段４１に入力されることで、釣銭モードであることが確認される。自動券売機１のモードは釣銭モードとなるため硬貨識別装置４５のモードは釣銭識別モード（ステップＳ２２）となる。次に投入により一時保留部５３に収納されている硬貨を、顧客に払い出す釣銭に流用するか否かが判断される（ステップＳ２３）。このとき流用しない場合（ステップＳ２３がＮの場合）は、流用硬貨による釣銭不足が発生した場合のそれ以後の釣銭処理と同じであるため後述する。
【００６９】
なお、流用硬貨の利用については自動券売機１の仕様等により予め決定され、金種決定手段４４からの流用信号１０７により制御される。一時保留部５３に保留されている保留硬貨を釣銭として流用することが可能な場合（ステップＳ２３がＹの場合）について説明する。まず一時保留部５３に保留されている硬貨が繰出部５１に放出され、繰出部５１から硬貨識別装置４５に送出される。このとき硬貨識別装置４５の識別レベル切替手段４６は第２識別レベルを選択する（ステップＳ２４）。このモード処理は比較手段４３からの釣銭信号１０６と、金種決定手段４４からの流用信号１０７とが、動作モード確認手段４１に入力されることで確認される。
【００７０】
硬貨識別装置４５による硬貨の判定がＯＫの場合（ステップＳ２５がＹの場合）で、識別された硬貨を釣銭として流用できる場合（ステップＳ２６がＹの場合）は、硬貨放出部５９を経て硬貨放出口１９に硬貨が送出され（ステップＳ２７）、流用硬貨の送出が終了した場合（Ｓ２８がＹの場合）で、釣銭硬貨の不足がない場合（ステップＳ２９がＮの場合）は、図中ルートＤへ向かい、図４のステップＳ１６に移行する。
【００７１】
硬貨識別装置４５による硬貨の判定がＮＧの場合（ステップＳ２５がＮの場合）は、硬貨は通路切替部５４により釣銭リジェクト部５７に振り分けられて収納され（ステップＳ３０）、ステップＳ２８に移行する。
【００７２】
識別した硬貨を釣銭として流用できない場合（ステップＳ２６がＮの場合）は、硬貨は通路切替部５４により一時保留部５３に振り分けられて収納され（ステップＳ３１）、ステップＳ２８へ移行する。流用硬貨として処理すべき硬貨の処理終了が判断され、終了しない場合（ステップＳ２８がＮの場合）には、ステップＳ２５へ移行して終了まで処理する。
【００７３】
流用硬貨の処理を終了したとき釣銭硬貨が不足する場合（ステップＳ２９がＹの場合）及び一時保留部５３に保留されている保留硬貨の釣銭としての流用が不可能の場合は（ステップＳ２３がＮの場合）、釣銭部５５が作動し（ステップＳ３２）、釣銭部５５から釣銭として放出されるべき金種の硬貨が必要枚数だけ繰出部５１に放出され、硬貨識別装置４５に送出される。次に硬貨識別装置４５の識別レベル切替手段４６は第３識別レベルを選択して切り替える（ステップＳ３３）。
【００７４】
硬貨識別装置４５による、釣銭として放出されるべき硬貨の判定がＯＫの場合（ステップＳ３４がＹの場合）、硬貨は通路切替部５４、硬貨放出部５９を経て、硬貨放出口１９へ搬送され、放出され（ステップＳ３５）、次にステップＳ２９に移行する。硬貨識別装置４５による、釣銭として放出されるべき硬貨の判定がＮＧの場合（ステップＳ３４がＮの場合）、通路切替部５４を経て、釣銭リジェクト部５７に収納され（ステップＳ３６）、次にステップＳ２９に移行する。
【００７５】
ステップＳ２９では、釣銭硬貨が不足しているか否かが判断され、不足している場合（ステップＳ２９がＹの場合）にはステップＳ３２に移行して処理が繰り返され、不足がない場合（ステップＳ２９がＮの場合）は、図中ルートＤに向かい、図４のステップＳ１６に移行する。
【００７６】
図６を参照し、適宜図１〜図３を参照し、図４のルートＢの先のステップを説明する。自動券売機１が、各種処理待機モードにあるとき（ステップＳ１）、係員が係員操作部５の操作を行い（ステップＳ２がＹの場合）この先ルートＢへと移行する（以上図４参照）。このとき係員は、係員操作部５の発売／発売中止スイッチ２６を操作し発売中止にする。スイッチ操作信号１０２が制御部４９の動作モード確認手段４１に入力され係員による操作待機であることが確認される。
【００７７】
係員操作部５の操作により回収識別となった場合すなわち係員が回収スイッチ２７を押した場合（ステップＳ４１がＹの場合）は、自動券売機１の回収処理（ステップＳ４２）が行われる。このモード処理では、スイッチ操作信号１０３が制御部４９の動作モード確認手段４１に入力されることで、回収モードであることが確認される。自動券売機１のモードは回収モードとなるため硬貨識別装置４５のモードは回収識別モード（ステップＳ４３）となり、硬貨識別装置４５の識別レベル切替手段４６は第４識別レベルを選択し切り替える（ステップＳ４４）。回収処理では、釣銭部５５の硬貨が繰出部５１に放出され硬貨識別装置４５を経て通路切替部５４によって原則的に金庫部５６に振り分けられて回収される。
【００７８】
硬貨識別装置４５による硬貨の判定がＯＫの場合（ステップＳ４５がＹの場合）は、硬貨は通路切替部５４を経て金庫部５６に収納される（ステップＳ４６）。回収処理が終了すれば（ステップＳ４７がＹの場合）、ルートＡに向かい、ステップＳ１（図４参照）に移行する。硬貨識別装置４５による硬貨の判定がＮＧの場合（ステップＳ４５がＮの場合）は、硬貨は通路切替部５４を経て、釣銭リジェクト部５７に収納され（ステップＳ４８）、次にステップＳ４７に移行する。回収処理が終了しなければ（ステップＳ４７がＮの場合）、ルートＥに向かい、ステップＳ４５に移行し、釣銭部５５の回収硬貨がなくなるまで、硬貨の判定が繰り返し行われる。
【００７９】
係員が係員操作部５の操作を行い（ステップＳ２がＹの場合）（図４参照）、係員操作部の操作が回収識別ではなく（ステップＳ４１がＮの場合）再識別となった場合、すなわち係員が再識別スイッチ２８を押した場合（ステップＳ４９がＹの場合）、自動券売機１の再識別処理（ステップＳ５０）が行われる。このモード処理では、スイッチ操作信号１０４が制御部４９の動作モード確認手段４１に入力され、再識別モードであることが確認される。このとき、自動券売機１のモードは再識別モードとなるため硬貨識別装置４５のモードは再識別モード（ステップＳ５１）となり、硬貨識別装置４５の識別レベル切替手段４６は第４識別レベルを選択し切り替える（ステップＳ５２）。再識別モードでは、釣銭リジェクト部５７に収納された硬貨が、繰出部５１に放出され繰出部５１から硬貨識別装置４５に一枚ずつ送出される。
【００８０】
硬貨識別装置４５による硬貨の判定がＯＫの場合（ステップＳ５３がＹの場合）は、硬貨は通路切替部５４を経て金庫部５６または釣銭部５５に収納される（ステップＳ５４）。再識別処理が終了すれば（ステップＳ５５がＹの場合）、ルートＡに向かい、ステップＳ１（図４参照）に移行する。硬貨識別装置４５による硬貨の判定がＮＧの場合（ステップＳ５３がＮの場合）は、硬貨は通路切替部５４を経て、再び釣銭リジェクト部５７に収納され（ステップＳ５６）、次にステップＳ５５に移行する。再識別処理が終了しなければ（ステップＳ５５がＮの場合）、ルートＦに向かい、ステップＳ５３に移行し、釣銭リジェクト部５７から繰出部５１へ放出された硬貨がなくなるまで、硬貨の判定（ステップＳ５３）が繰り返し行われる。
【００８１】
係員が係員操作部５の操作を行い（ステップＳ２がＹの場合）（図４参照）、係員操作部の操作が再識別ではなく（ステップＳ４９がＮの場合）補充識別となった場合すなわち係員が補充識別スイッチ２９を押した場合（ステップＳ５７がＹの場合）、自動券売機１の補充処理（ステップＳ５８）が行われる。このモード処理では、スイッチ操作信号１０５が制御部４９の動作モード確認手段４１に入力され、補充モードであることが確認される。自動券売機１のモードは補充モードとなるため硬貨識別装置４５のモードは補充識別モード（ステップＳ５９）となり、硬貨識別装置４５の識別レベル切替手段４６は第５識別レベルを選択し切り替える（ステップＳ６０）。補充処理において補充硬貨は、最初に繰出部５１に放出され、次に硬貨識別装置４５に繰り出されて識別され、通路切替部５４から原則的に釣銭部５５に振り分けられ収納される。
【００８２】
硬貨識別装置４５による硬貨の判定がＯＫの場合（ステップＳ６１がＹの場合）は、硬貨は通路切替部５４によって釣銭部５５に振り分けられ、補充される（ステップＳ６２）。補充識別処理が終了すれば（ステップＳ６３がＹの場合）、ルートＡに向かいステップＳ１（図４参照）に移行する。硬貨識別装置４５による硬貨の判定がＮＧの場合（ステップＳ６１がＮの場合）は、硬貨は通路切替部５４によって、釣銭リジェクト部５７に振り分けられて収納され（ステップＳ６４）、動作は次にステップＳ６３に移行する。補充識別処理が終了しなければ（ステップＳ６３がＮの場合）、ルートＧに向かい、ステップＳ６１に移行し、繰出部５１へ係員により投入された補充硬貨がなくなるまで、硬貨の判定（ステップＳ６１）が繰り返し行われる。
【００８３】
係員が係員操作部５の操作を行い（ステップＳ２がＹの場合）（図４参照）、係員操作部の操作が補充識別ではなく（ステップＳ５７がＮの場合）、他の係員操作モードなった場合（ステップＳ６５）、自動券売機１はそのモードにて作動する。
【００８４】
顧客への釣銭の払い出しと、券の送出とが終了した後に、一時保留部５３に保留されている硬貨を釣銭部５５に収納するときには、前述のように硬貨は一時保留部５３から繰出部５１に送出され、繰出部５１から硬貨識別装置４５、通路切替部５４を経て、釣銭部５５に収納される。この収納動作のとき、本発明の他の実施の形態として、動作モードを前述の収納モードにしない自動券売機１であってもよい。
【００８５】
すなわち、収納動作のとき硬貨識別装置４５は、通路切替部５４で金種毎に通路を切り替えるための金種の判定だけを行い、正硬貨であるか否かの判定を行なわないようにしてもよい。この実施の形態においても、釣銭部５５に投入硬貨を収納する前の、入金モード、釣銭モードでの動作、さらに係員の操作による回収モード、補充モードでの動作によって自動券売機１を作動させることができる。よって、投入された正硬貨を正硬貨として受け付ける受付率を維持し、釣銭部５５に収納されている投入偽造硬貨、同じく釣銭部５５に収納されている補充偽造硬貨等を顧客に放出したり、投入され釣銭部５５に収納されている偽造硬貨を回収して金融機関に送ることを可能な限り少なくすることができる。
【００８６】
また、本発明のさらに他の実施の形態として、収納モードにおける識別レベルを、入金モードにおける識別レベルより厳しい識別レベルとし、釣銭の払い出し時、硬貨の釣銭部５５への補充時、釣銭部５５からの硬貨の回収時に、硬貨の金種のみ識別し、正硬貨か否かの判定を行わない自動券売機１としてもよい。顧客により投入された硬貨を釣銭部５５に収納するときに、厳しい識別レベルで識別するので、釣銭部５５に収納されている硬貨に、偽硬貨が含まれることをほとんどなくすことができ、その結果釣銭部５５から顧客に放出される釣銭、釣銭部から回収されて金融機関に送られる回収硬貨のなかに、偽硬貨が含まれることをほとんどなくすことができる。
【００８７】
以上説明した実施の形態の自動券売機１によれば、確認された動作モードに対応する識別レベルに硬貨識別装置４５の識別レベルを切り替える識別レベル切替手段４６を備えるので、顧客に放出する硬貨を識別する識別レベル、回収する硬貨を識別する識別レベルを、顧客によって投入された硬貨を識別する識別レベルよりも厳しいレベルに切り替えることができ、投入された正硬貨を正硬貨として受け付ける受付率を維持し、収納されている偽造硬貨等を顧客に放出したり、回収して金融機関に送ることを可能な限り少なくすることがで、識別効率の良い自動券売機１とすることができる。
【００８８】
【発明の効果】
以上のように本発明によれば、確認された動作モードに対応する識別レベルに切り替える識別レベル切替手段を備えるので、硬貨識別手段の識別レベルを、動作モード確認手段によって確認された動作モードに応じて切り替えることができ、動作モードに応じた適切な識別レベルで硬貨を識別することができる。よって、硬貨処理装置の硬貨の識別効率を良くすることができる。
【図面の簡単な説明】
【図１】本発明の実施の形態に係る自動券売機の構成を示すブロック図である。
【図２】図１の自動券売機の制御系の構成の主要部を説明するブロック図である。
【図３】図１の自動券売機の硬貨処理装置の構成を説明するブロック図である。
【図４】図１の自動券売機の入金モード時の作用を示すフローチャートである。
【図５】図１の自動券売機の釣銭モード時の作用を示すフローチャートである。
【図６】図１の自動券売機の回収モード、再識別モード、補充モード時の作用を示すフローチャートである。
【符号の説明】
１  自動券売機
１３  口座選択スイッチ
１５  券放出口
２１  硬貨処理装置
４１  動作モード確認手段
４５  硬貨識別装置
４６  識別レベル切替手段
４８  識別レベル値設定手段
５１  繰出部
５３  一時保留部
５４  通路切替部
５５  釣銭部
５９  硬貨放出部
【図１】
0004702981.tif 000002
【図２】
0004702981.tif 000003
【図３】
0004702981.tif 000004
【図４】
0004702981.tif 000005
【図５】
0004702981.tif 000006
【図６】
0004702981.tif 000007